(57)【要約】      （修正有）【課題】多層化された各情報記録層に対してそれぞれ記録速度に応じて記録条件を最適化することを可能とした光ディスク、光ディスク装置及び光ディスク記録方法を提供することを目的としている。【解決手段】内周側と外周側とにそれぞれ試し記録エリア２９ａ，２９ｇが形成された第１の情報記録層２９と、内周側と外周側とにそれぞれ試し記録エリア２７ａ，２７ｇが形成された第２の情報記録層２７とが積層され、第１及び第２の情報記録層２９，２７のうちの少なくとも一方に、試し記録エリア２９a，２９ｇ，２７ａ，２７ｇに試し記録を行なった際の記録管理情報を記録する記録管理エリア２９ｂが形成される光ディスク１２。【選択図】図２
2006040377.tif 000002
【特許請求の範囲】
【請求項１】
内周側と外周側とにそれぞれ試し記録エリアが形成された第１の情報記録層と、内周側と外周側とにそれぞれ試し記録エリアが形成された第２の情報記録層とが積層され、前記第１及び第２の情報記録層のうちの少なくとも一方に、前記試し記録エリアに試し記録を行なった際の記録管理情報を記録する記録管理エリアが形成されることを特徴とする光ディスク。
【請求項２】
前記記録管理エリアは、前記第１の情報記録層と前記第２の情報記録層とにそれぞれ形成されることを特徴とする請求項１記載の光ディスク。
【請求項３】
前記記録管理エリアは、前記第１及び第２の情報記録層に、それらの内周側及び外周側に形成された各試し記録エリアにそれぞれ対応させて形成されることを特徴とする請求項２記載の光ディスク。
【請求項４】
前記試し記録エリアは、前記第１及び第２の情報記録層の最内周位置と最外周位置とにそれぞれ形成されることを特徴とする請求項１乃至３いずれかに記載の光ディスク。
【請求項５】
前記第１及び第２の情報記録層には、それぞれ、その内周側から外周側に向けて、試し記録エリア、記録管理エリア、リードインエリア、情報記録エリア、リードアウトエリア及び試し記録エリアが順次形成されることを特徴とする請求項１記載の光ディスク。
【請求項６】
前記第１の情報記録層には、その内周側から外周側に向けて、試し記録エリア、記録管理エリア、リードインエリア、情報記録エリア、ミドルエリア及び試し記録エリアが順次形成され、
前記第２の情報記録層には、その外周側から内周側に向けて、試し記録エリア、ミドルエリア、情報記録エリア、リードアウトエリア、記録管理エリア及び試し記録エリアが順次形成されることを特徴とする請求項１記載の光ディスク。
【請求項７】
内周側と外周側とにそれぞれ試し記録エリアが形成された第１の情報記録層と、内周側と外周側とにそれぞれ試し記録エリアが形成された第２の情報記録層とが積層され、前記第１及び第２の情報記録層のうちの少なくとも一方に、前記試し記録エリアに試し記録を行なった際の記録管理情報を記録する記録管理エリアが形成される光ディスクに対して、情報の記録を行なう光ディスク装置であって、
前記第１の情報記録層に対する情報の記録が要求された状態で、要求された記録速度に応じて前記第１の情報記録層の内周側または外周側の試し記録エリアに試し記録を行なって記録条件を設定し、その記録条件に基づいて前記第１の情報記録層に情報の記録を行ない、前記試し記録エリアに試し記録を行なった際の記録管理情報を前記記録管理エリアに記録する第１の制御手段と、
前記第２の情報記録層に対する情報の記録が要求された状態で、要求された記録速度に応じて前記第２の情報記録層の内周側または外周側の試し記録エリアに試し記録を行なって記録条件を設定し、その記録条件に基づいて前記第２の情報記録層に情報の記録を行ない、前記試し記録エリアに試し記録を行なった際の記録管理情報を前記記録管理エリアに記録する第２の制御手段とを具備することを特徴とする光ディスク装置。
【請求項８】
前記光ディスクは、その記録管理エリアが前記第１の情報記録層と前記第２の情報記録層とにそれぞれ形成され、
前記第１の制御手段は、前記第１の情報記録層の内周側または外周側の試し記録エリアに試し記録を行なった際の記録管理情報を、前記第１の情報記録層の記録管理エリアに記録し、
前記第２の制御手段は、前記第２の情報記録層の内周側または外周側の試し記録エリアに試し記録を行なった際の記録管理情報を、前記第２の情報記録層の記録管理エリアに記録することを特徴とする請求項７記載の光ディスク装置。
【請求項９】
前記光ディスクは、その記録管理エリアが、前記第１及び第２の情報記録層に、それらの内周側及び外周側に形成された各試し記録エリアにそれぞれ対応させて形成され、
前記第１の制御手段は、前記第１の情報記録層の内周側の試し記録エリアに試し記録を行なった際の記録管理情報を、前記第１の情報記録層の内周側の試し記録エリアに対応する記録管理エリアに記録し、前記第１の情報記録層の外周側の試し記録エリアに試し記録を行なった際の記録管理情報を、前記第１の情報記録層の外周側の試し記録エリアに対応する記録管理エリアに記録し、
前記第２の制御手段は、前記第２の情報記録層の内周側の試し記録エリアに試し記録を行なった際の記録管理情報を、前記第２の情報記録層の内周側の試し記録エリアに対応する記録管理エリアに記録し、前記第２の情報記録層の外周側の試し記録エリアに試し記録を行なった際の記録管理情報を、前記第２の情報記録層の外周側の試し記録エリアに対応する記録管理エリアに記録することを特徴とする請求項７記載の光ディスク装置。
【請求項１０】
前記第１の制御手段は、前記第１の情報記録層に対する標準的な記録速度の所定数倍以下の低速度での情報記録が要求された状態で、内周側の試し記録エリアに試し記録を行ない、前記第１の情報記録層に対する標準的な記録速度の所定数倍を越える高速度での情報記録が要求された状態で、外周側の試し記録エリアに試し記録を行ない、
前記第２の制御手段は、前記第２の情報記録層に対する標準的な記録速度の所定数倍以下の低速度での情報記録が要求された状態で、内周側の試し記録エリアに試し記録を行ない、前記第２の情報記録層に対する標準的な記録速度の所定数倍を越える高速度での情報記録が要求された状態で、外周側の試し記録エリアに試し記録を行なうことを特徴とする請求項７乃至９いずれかに記載の光ディスク装置。
【請求項１１】
前記第１及び第２の制御手段は、試し記録に使用した試し記録エリアのアドレスを示す情報と、設定された記録条件を示す情報とを含む記録管理情報を前記記録管理エリアに記録することを特徴とする請求項７乃至１０いずれかに記載の光ディスク装置。
【請求項１２】
記録が要求された情報を、前記第１の情報記録層に記録する分と前記第２の情報記録層に記録する分とに分割する第３の制御手段を具備し、
前記第１の制御手段は、前記第３の制御手段で分割された情報のうち、前記第１の情報記録層に記録する分を該第１の情報記録層に内周側から外周側向けて記録し、記録が終了した位置にミドルエリアを形成し、
前記第２の制御手段は、前記第３の制御手段で前記第１の情報記録層に形成されたミドルエリアに対応する前記第２の情報記録層の位置にミドルエリアを形成し、このミドルエリアの形成位置から、前記第３の制御手段で分割された情報のうち前記第２の情報記録層に記録する分を外周側から内周側向けて記録することを特徴とする請求項７乃至１１いずれかに記載の光ディスク装置。
【請求項１３】
内周側と外周側とにそれぞれ試し記録エリアが形成された第１の情報記録層と、内周側と外周側とにそれぞれ試し記録エリアが形成された第２の情報記録層とが積層され、前記第１及び第２の情報記録層のうちの少なくとも一方に、前記試し記録エリアに試し記録を行なった際の記録管理情報を記録する記録管理エリアが形成される光ディスクに対して、情報の記録を行なう光ディスク記録方法であって、
前記第１の情報記録層に対する情報の記録が要求された状態で、要求された記録速度に応じて前記第１の情報記録層の内周側または外周側の試し記録エリアに試し記録を行なって記録条件を設定する第１の工程と、
前記第１の工程で設定された記録条件に基づいて前記第１の情報記録層に情報の記録を行ない、前記試し記録エリアに試し記録を行なった際の記録管理情報を前記記録管理エリアに記録する第２の工程と、
前記第２の情報記録層に対する情報の記録が要求された状態で、要求された記録速度に応じて前記第２の情報記録層の内周側または外周側の試し記録エリアに試し記録を行なって記録条件を設定する第３の工程と、
前記第３の工程で設定された記録条件に基づいて前記第２の情報記録層に情報の記録を行ない、前記試し記録エリアに試し記録を行なった際の記録管理情報を前記記録管理エリアに記録する第４の工程とを具備することを特徴とする光ディスク記録方法。
【請求項１４】
前記光ディスクは、その記録管理エリアが前記第１の情報記録層と前記第２の情報記録層とにそれぞれ形成され、
前記第２の工程は、前記第１の工程により前記第１の情報記録層の内周側または外周側の試し記録エリアに試し記録を行なった際の記録管理情報を、前記第１の情報記録層の記録管理エリアに記録し、
前記第４の工程は、前記第３の工程により前記第２の情報記録層の内周側または外周側の試し記録エリアに試し記録を行なった際の記録管理情報を、前記第２の情報記録層の記録管理エリアに記録することを特徴とする請求項１３記載の光ディスク記録方法。
【発明の詳細な説明】
【技術分野】
【０００１】
この発明は、ＤＶＤ（Digital Versatile Disk）等の光ディスクに係り、特にその情報記録層が多層化されたものの改良に関する。また、この発明は、上記した多層光ディスクに情報を記録する光ディスク装置及び光ディスク記録方法に関する。
【背景技術】
【０００２】
周知のように、近年では、情報の高密度記録技術が促進されており、片面１層に４．７ＧＢ（Giga Byte）もの記録容量を有する光ディスクが実用化されている。
【０００３】
この種の光ディスクとしては、再生専用のＤＶＤ−ＲＯＭ（Read Only Memory）だけに限らず、例えば、追記型のＤＶＤ−Ｒ（Recordable）や、書き替え可能なＤＶＤ−ＲＷ（Rewritable）、ＤＶＤ−ＲＡＭ（Random Access Memory）等も開発されている。
【０００４】
そして、現在では、記録可能な光ディスクに対して、その規格書で定められた標準的な記録線速度（３．４９ｍ／ｓ）の数倍の速度で情報記録を行なうための技術が開発されている。また、現在では、記録可能な光ディスクに対して、その記録密度をさらに高めるために情報記録層を多層化することも考えられている。
【０００５】
特許文献１には、光ディスクにRead Modify Write処理によりデータを書き込む際、記録されたデータの消失を防止することが開示されている。しかしながら、この特許文献１には、光ディスクに対する情報記録速度を高める技術や、情報記録層を多層化する技術については、何らの記載もなされていないものである。
【特許文献１】特開２００１−１８４６４２号公報
【発明の開示】
【発明が解決しようとする課題】
【０００６】
そこで、この発明は上記事情を考慮してなされたもので、多層化された各情報記録層に対してそれぞれ記録速度に応じて記録条件を最適化することを可能とした光ディスク、光ディスク装置及び光ディスク記録方法を提供することを目的とする。
【課題を解決するための手段】
【０００７】
この発明に係る光ディスクは、内周側と外周側とにそれぞれ試し記録エリアが形成された第１の情報記録層と、内周側と外周側とにそれぞれ試し記録エリアが形成された第２の情報記録層とが積層され、第１及び第２の情報記録層のうちの少なくとも一方に、試し記録エリアに試し記録を行なった際の記録管理情報を記録する記録管理エリアが形成されるものである。
【０００８】
また、この発明に係る光ディスク装置は、内周側と外周側とにそれぞれ試し記録エリアが形成された第１の情報記録層と、内周側と外周側とにそれぞれ試し記録エリアが形成された第２の情報記録層とが積層され、第１及び第２の情報記録層のうちの少なくとも一方に、試し記録エリアに試し記録を行なった際の記録管理情報を記録する記録管理エリアが形成される光ディスクに対して、情報の記録を行なう光ディスク装置であって、第１の情報記録層に対する情報の記録が要求された状態で、要求された記録速度に応じて第１の情報記録層の内周側または外周側の試し記録エリアに試し記録を行なって記録条件を設定し、その記録条件に基づいて第１の情報記録層に情報の記録を行ない、試し記録エリアに試し記録を行なった際の記録管理情報を記録管理エリアに記録する第１の制御手段と、第２の情報記録層に対する情報の記録が要求された状態で、要求された記録速度に応じて第２の情報記録層の内周側または外周側の試し記録エリアに試し記録を行なって記録条件を設定し、その記録条件に基づいて第２の情報記録層に情報の記録を行ない、試し記録エリアに試し記録を行なった際の記録管理情報を記録管理エリアに記録する第２の制御手段とを備えるようにしたものである。
【０００９】
さらに、この発明に係る光ディスク記録方法は、内周側と外周側とにそれぞれ試し記録エリアが形成された第１の情報記録層と、内周側と外周側とにそれぞれ試し記録エリアが形成された第２の情報記録層とが積層され、第１及び第２の情報記録層のうちの少なくとも一方に、試し記録エリアに試し記録を行なった際の記録管理情報を記録する記録管理エリアが形成される光ディスクに対して、情報の記録を行なう光ディスク記録方法であって、第１の情報記録層に対する情報の記録が要求された状態で、要求された記録速度に応じて第１の情報記録層の内周側または外周側の試し記録エリアに試し記録を行なって記録条件を設定する第１の工程と、第１の工程で設定された記録条件に基づいて第１の情報記録層に情報の記録を行ない、試し記録エリアに試し記録を行なった際の記録管理情報を記録管理エリアに記録する第２の工程と、第２の情報記録層に対する情報の記録が要求された状態で、要求された記録速度に応じて第２の情報記録層の内周側または外周側の試し記録エリアに試し記録を行なって記録条件を設定する第３の工程と、第３の工程で設定された記録条件に基づいて第２の情報記録層に情報の記録を行ない、試し記録エリアに試し記録を行なった際の記録管理情報を記録管理エリアに記録する第４の工程とを備えるようにしたものである。
【発明の効果】
【００１０】
上記した発明によれば、積層された第１及び第２の情報記録層に対して、それぞれ内周側と外周側とに試し記録エリアを形成するとともに、第１及び第２の情報記録層のうちの少なくとも一方に、試し記録エリアに試し記録を行なった際の記録管理情報を記録する記録管理エリアを形成するようにしたので、多層化された各情報記録層に対してそれぞれ記録速度に応じて記録条件を最適化することを可能とすることができる。
【発明を実施するための最良の形態】
【００１１】
以下、この発明の実施の形態について図面を参照して詳細に説明する。図１は、この実施の形態で説明する光ディスク装置１１を示している。すなわち、図１において、符号１２は光ディスクである。この光ディスク１２は、記録可能なＤＶＤ等であり、情報記録層が多層化されている。
【００１２】
この光ディスク１２は、ディスクモータ１３により所定の回転速度で回転駆動される。また、この光ディスク１２には、その一方の面に近接対向するようにして光ヘッド１４が設置されている。この光へッド１４は、光ディスク１２の径方向に移動自在に支持されている。
【００１３】
そして、この光ヘッド１４は、レーザダイオードＬＤから再生用に出射されたレーザ光を、対物レンズＯＬを介して光ディスク１２の所定の情報記録層上に集光させ、その反射光をフォトダイオードＰＤに受光させて電気信号に変換することにより、光ディスク１２からの情報の読み取りを行なうことができる。
【００１４】
この場合、フォトダイオードＰＤから出力される電気信号は、信号処理部１５に供給されて、２値化処理、所定のデコード処理、誤り訂正処理及びデスクランブル処理等が施された後、インターフェース部１６を介して入出力端子１７から外部に導出され、映像や音声の再生に供される。
【００１５】
また、この光ヘッド１４は、上記レーザダイオードＬＤから記録用に出射されたレーザ光を、対物レンズＯＬを介して光ディスク１２の所定の情報記録層上に集光させることにより、光ディスク１２に対して情報の書き込みを行なうことができる。
【００１６】
この場合、光ディスク１２に記録する情報は、入出力端子１７から入力され、インターフェース部１６を介して信号処理部１５に供給される。この信号処理部１５は、入力された記録情報に対して所定のエンコード処理、誤り訂正符号の付加処理、スクランブル処理等を施して、記録パワー制御部１８に出力している。
【００１７】
この記録パワー制御部１８は、情報の光ディスク１２への記録速度に応じて最適な記録条件を設定し、この記録条件に基づいてＬＤ駆動部１９を介してレーザダイオードＬＤの出射光量を制御する。これにより、記録速度に応じた最適な記録条件での情報記録を行なうことができる。
【００１８】
また、上記光ヘッド１４のフォトダイオードＰＤから出力される電気信号は、サーボ処理部２０に供給される。このサーボ処理部２０は、サーボ制御部２１の制御に基づいて、入力された電気信号から対物レンズＯＬのトラッキングずれやフォーカスずれ等に対応したエラー信号を生成している。
【００１９】
そして、このサーボ処理部２０で生成された各エラー信号に基づいて、アクチュエータドライバ２２が対物レンズＯＬをトラッキング方向及びフォーカス方向に制御して、ここに、トラッキングサーボ及びフォーカスサーボが行なわれる。また、上記サーボ制御部２１は、ディスクモータ１３の回転制御も行なっている。
【００２０】
ここで、この光ディスク装置１１は、上記した記録再生動作を含むその全ての動作を制御部２３によって統括的に制御されている。この制御部２３は、ＣＰＵ（Central Processing Unit）等を内蔵しており、操作部２４からの操作情報を受けて、その操作内容が反映されるように各部をそれぞれ制御している。
【００２１】
この場合、制御部２３は、メモリ部２５を利用している。すなわち、このメモリ部２５は、主として、制御部２３のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００２２】
図２（ａ）は、上記光ディスク１２の詳細を示している。この光ディスク１２は、例えばポリカーボネート等で円盤状に形成された基板２６の一方面側に、金属材料でなる情報記録層２７と、透明材料でなる中間層２８と、半透明材料でなる情報記録層２９と、透明材料でなるカバー層３０とを順次積層させた構造となっている。
【００２３】
この場合、上記光ヘッド１４から出射されるレーザ光は、図示矢印のように、カバー層３０から入射して、２つの情報記録層２９，２７上に選択的に焦点が結ばれるように制御される。
【００２４】
また、この光ディスク１２は、２つの情報記録層２９，２７が、それぞれ、内周側から外周側に向けて情報の記録再生を行なっていく、ＰＴＰ（Parallel Track Path）タイプである。
【００２５】
すなわち、レーザ光の入射方向に対して手前側（１層目）となる情報記録層２９には、その最内周位置から最外周位置に向けて、内周側試し記録エリア（ＰＣＡ）２９ａ、記録管理エリア（ＲＭＡ）２９ｂ、リードインエリア２９ｃ、情報記録エリア２９ｄ、リードアウトエリア２９ｅ及び外周側試し記録エリア（ＰＣＡ）２９ｇが順次形成されている。
【００２６】
また、レーザ光の入射方向に対して奥側（２層目）となる情報記録層２７には、その最内周位置から最外周位置に向けて、内周側試し記録エリア（ＰＣＡ）２７ａ、リードインエリア２７ｃ、情報記録エリア２７ｄ、リードアウトエリア２７ｅ及び外周側試し記録エリア（ＰＣＡ）２７ｇが順次形成されている。
【００２７】
ここで、１層目となる情報記録層２９の情報記録エリア２９ｄに情報を記録する場合、標準的な記録線速度（３．４９ｍ／ｓ）またはその４倍以下の速度で記録する場合には、その内周側試し記録エリア２９ａが対応する記録線速度となるように光ディスク１２を回転駆動させる。
【００２８】
その後、内周側試し記録エリア２９ａに所定の信号の試し記録を行ない、その試し記録された信号を読み取ることによって最適な記録条件を検索し設定する。そして、最適な記録条件が設定されると、その記録条件に基づいて、情報記録エリア２９ｄへの情報の記録が行なわれる。
【００２９】
それから、試し記録に使用した内周側試し記録エリア２９ａのアドレス情報と、設定された記録条件（使用した光ディスク装置、記録速度、記録パワー、記録信号波形等を含む）とを含む記録管理情報を、記録管理エリア２９ｂに記録して、ここに、情報記録層２９への情報記録が終了される。
【００３０】
また、１層目となる情報記録層２９の情報記録エリア２９ｄに、標準的な記録線速度の４倍を越える速度（例えば８倍等）で情報を記録する場合には、その外周側試し記録エリア２９ｇが対応する記録線速度となるように光ディスク１２を回転駆動させる。
【００３１】
その後、外周側試し記録エリア２９ｇに所定の信号の試し記録を行ない、その試し記録された信号を読み取ることによって最適な記録条件を検索し設定する。そして、最適な記録条件が設定されると、その記録条件に基づいて、情報記録エリア２９ｄへの情報の記録が行なわれる。
【００３２】
それから、試し記録に使用した外周側試し記録エリア２９ｇのアドレス情報と、設定された記録条件とを含む記録管理情報を、記録管理エリア２９ｂに記録して、ここに、情報記録層２９への情報記録が終了される。
【００３３】
また、２層目となる情報記録層２７の情報記録エリア２７ｄに、標準的な記録線速度またはその４倍以下の速度で情報を記録する場合には、その内周側試し記録エリア２７ａが対応する記録線速度となるように光ディスク１２を回転駆動させる。
【００３４】
その後、内周側試し記録エリア２７ａに所定の信号の試し記録を行ない、その試し記録された信号を読み取ることによって最適な記録条件を検索し設定する。そして、最適な記録条件が設定されると、その記録条件に基づいて、情報記録エリア２７ｄへの情報の記録が行なわれる。
【００３５】
それから、試し記録に使用した内周側試し記録エリア２７ａのアドレス情報と、設定された記録条件とを含む記録管理情報を、１層目となる情報記録層２９の記録管理エリア２９ｂに記録して、ここに、情報記録層２７への情報記録が終了される。
【００３６】
また、２層目となる情報記録層２７の情報記録エリア２７ｄに、標準的な記録線速度の４倍を越える速度（例えば８倍等）で情報を記録する場合には、その外周側試し記録エリア２７ｇが対応する記録線速度となるように光ディスク１２を回転駆動させる。
【００３７】
その後、外周側試し記録エリア２７ｇに所定の信号の試し記録を行ない、その試し記録された信号を読み取ることによって最適な記録条件を検索し設定する。そして、最適な記録条件が設定されると、その記録条件に基づいて、情報記録エリア２７ｄへの情報の記録が行なわれる。
【００３８】
それから、試し記録に使用した外周側試し記録エリア２７ｇのアドレス情報と、設定された記録条件とを含む記録管理情報を、１層目となる情報記録層２９の記録管理エリア２９ｂに記録して、ここに、情報記録層２７への情報記録が終了される。
【００３９】
上記した実施の形態によれば、各情報記録層２９，２７に対して、それぞれ内周側試し記録エリア２９ａ，２７ａ及び外周側試し記録エリア２９ｇ，２７ｇを形成し、情報記録層２９への記録時にはその記録速度に応じて内周側試し記録エリア２９ａ及び外周側試し記録エリア２９ｇを使い分け、情報記録層２７への記録時にはその記録速度に応じて内周側試し記録エリア２７ａ及び外周側試し記録エリア２７ｇを使い分けるようにしている。
【００４０】
このため、各情報記録層２９，２７を構成する記録膜の特性に対応した記録条件で情報を記録することができるようになり、各情報記録層２９，２７に対してそれぞれ記録速度に応じて記録条件を最適化することが可能となる。
【００４１】
また、各内周側試し記録エリア２９ａ，２７ａ及び外周側試し記録エリア２９ｇ，２７ｇに試し記録を行なった際の記録管理情報を、１層目となる情報記録層２９の記録管理エリア２９ｂに記録するようにしたので、この記録管理エリア２９ｂの記録情報を見るだけで、各情報記録層２９，２７に対する記録速度に応じた記録条件を取得することができ、追加記録等する際に便利となる。
【００４２】
ここで、各情報記録層２９，２７に対して、光ディスク１２の所定の半径位置を境界とし、その内周側では低速度での記録を行ない、境界より外周側では高速度での記録を行なうという記録方法をとることも可能である。
【００４３】
この場合、各情報記録層２９，２７に対して、境界より内周側の記録時には内周側試し記録エリア２９ａ，２７ａを使用し、境界より外周側の記録時には外周側試し記録エリア２９ｇ，２７ｇを使用するという使い方をする。そして、そのときの記録管理情報を１層目となる情報記録層２９の記録管理エリア２９ｂに記録する。
【００４４】
図２（ｂ）は、図２（ａ）に示したＰＴＰタイプの光ディスク１２の変形例を示している。図２（ｂ）において、図２（ａ）と同一部分には同一符号を付して説明すると、２層目となる情報記録層２７に、その最内周位置から最外周位置に向けて、内周側試し記録エリア２７ａ、記録管理エリア２７ｂ、リードインエリア２７ｃ、情報記録エリア２７ｄ、リードアウトエリア２７ｅ及び外周側試し記録エリア２７ｇを順次形成している。すなわち、各情報記録層２９，２７にそれぞれ記録管理エリア２９ｂ，２７ｂが形成されている。
【００４５】
そして、１層目となる情報記録層２９の内周側試し記録エリア２９ａ及び外周側試し記録エリア２９ｇに試し記録を行なった際の記録管理情報は、その情報記録層２９の記録管理エリア２９ｂに記録され、２層目となる情報記録層２７の内周側試し記録エリア２７ａ及び外周側試し記録エリア２７ｇに試し記録を行なった際の記録管理情報は、その情報記録層２７の記録管理エリア２７ｂに記録される。
【００４６】
このように、各情報記録層２９，２７毎に、それぞれ試し記録を行なった際の記録管理情報を記録する記録管理エリア２９ｂ，２７ｂを設けることにより、各情報記録層２９，２７毎の記録管理エリア２９ｂ，２７ｂでそれぞれの内周側試し記録エリア２９ａ，２７ａ及び外周側試し記録エリア２９ｇ，２７ｇの管理を行なうことができるので、各情報記録層２９，２７を構成する記録膜の特性に対応した記録情報の管理が可能となる。
【００４７】
図２（ｃ）は、図２（ｂ）に示したＰＴＰタイプの光ディスク１２の変形例を示している。図２（ｃ）において、図２（ｂ）と同一部分には同一符号を付して説明すると、１層目となる情報記録層２９に、その最内周位置から最外周位置に向けて、内周側試し記録エリア２９ａ、記録管理エリア２９ｂ、リードインエリア２９ｃ、情報記録エリア２９ｄ、リードアウトエリア２９ｅ、記録管理エリア（ＲＭＡ）２９ｆ及び外周側試し記録エリア２９ｇを順次形成している。
【００４８】
そして、内周側試し記録エリア２９ａに試し記録を行なった際の記録管理情報を、記録管理エリア２９ｂに記録し、外周側試し記録エリア２９ｇに試し記録を行なった際の記録管理情報を、記録管理エリア２９ｆに記録するようにしている。
【００４９】
また、２層目となる情報記録層２７に、その最内周位置から最外周位置に向けて、内周側試し記録エリア２７ａ、記録管理エリア２７ｂ、リードインエリア２７ｃ、情報記録エリア２７ｄ、リードアウトエリア２７ｅ、記録管理エリア（ＲＭＡ）２７ｆ及び外周側試し記録エリア２７ｇを順次形成している。
【００５０】
そして、内周側試し記録エリア２７ａに試し記録を行なった際の記録管理情報を、記録管理エリア２７ｂに記録し、外周側試し記録エリア２７ｇに試し記録を行なった際の記録管理情報を、記録管理エリア２７ｆに記録するようにしている。
【００５１】
すなわち、各情報記録層２９，２７毎に、その内周側試し記録エリア２９ａ，２７ａに対してそれぞれ記録管理エリア２９ｂ，２７ｂを設けるとともに、外周側試し記録エリア２９ｇ，２７ｇに対してそれぞれ記録管理エリア２９ｆ，２７ｆを設けている。このようにしても、各情報記録層２９，２７を構成する記録膜の特性に対応した記録情報の管理が可能となる。
【００５２】
図３及び図４は、上記したＰＴＰタイプの光ディスク１２に対する情報の記録動作をまとめたフローチャートを示している。すなわち、処理が開始（ステップＳ１）されると、制御部２３は、ステップＳ２で、１層目となる情報記録層２９に対する情報の記録が要求されたか否かを判別する。
【００５３】
そして、１層目となる情報記録層２９への情報記録が要求されたと判断された場合（ＹＥＳ）、制御部２３は、ステップＳ３で、要求された記録速度が標準的な記録線速度の４倍以下であるか否かを判別する。
【００５４】
ここで、４倍以下であると判断された場合（ＹＥＳ）、制御部２３は、ステップＳ４で、情報記録層２９の内周側試し記録エリア２９ａに試し記録を行ない、ステップＳ５で、試し記録した信号を読み取り、ステップＳ６で、読み取った信号が適正であるか否かを判別し、適正でないと判断された場合（ＮＯ）、ステップＳ７で、記録条件を変更してステップＳ４の処理に戻される。
【００５５】
また、上記ステップＳ３で要求された記録速度が標準的の４倍を越えると判断された場合（ＮＯ）、制御部２３は、ステップＳ８で、情報記録層２９の外周側試し記録エリア２９ｇに試し記録を行ない、ステップＳ９で、試し記録した信号を読み取り、ステップＳ１０で、読み取った信号が適正であるか否かを判別し、適正でないと判断された場合（ＮＯ）、ステップＳ１１で、記録条件を変更してステップＳ８の処理に戻される。
【００５６】
そして、上記ステップＳ６またはＳ１０で読み取った信号が適正であると判断された場合（ＹＥＳ）、制御部２３は、ステップＳ１２で、読み取った信号が適正であると判断されたときの記録条件に基づいて、情報記録層（この場合２９）の情報記録エリア２９ｄに、要求された記録速度で情報の記録を実行する。
【００５７】
その後、制御部２３は、ステップＳ１３で、試し記録に使用した試し記録エリア２９ａまたは２９ｇのアドレス情報と、設定された記録条件とを含む記録管理情報を、記録管理エリア２９ｂまたは２９ｆに記録して、処理を終了（ステップＳ１４）する。
【００５８】
また、上記ステップＳ２で１層目となる情報記録層２９への情報記録が要求されていないと判断された場合（ＮＯ）、制御部２３は、２層目となる情報記録層２７への情報記録が要求されているものと判断し、ステップＳ１５で、要求された記録速度が標準的な記録線速度の４倍以下であるか否かを判別する。
【００５９】
ここで、４倍以下であると判断された場合（ＹＥＳ）、制御部２３は、ステップＳ１６で、情報記録層２７の内周側試し記録エリア２７ａに試し記録を行ない、ステップＳ１７で、試し記録した信号を読み取り、ステップＳ１８で、読み取った信号が適正であるか否かを判別し、適正でないと判断された場合（ＮＯ）、ステップＳ１９で、記録条件を変更してステップＳ１６の処理に戻される。
【００６０】
また、上記ステップＳ１５で要求された記録速度が標準的の４倍を越えると判断された場合（ＮＯ）、制御部２３は、ステップＳ２０で、情報記録層２７の外周側試し記録エリア２７ｇに試し記録を行ない、ステップＳ２１で、試し記録した信号を読み取り、ステップＳ２２で、読み取った信号が適正であるか否かを判別し、適正でないと判断された場合（ＮＯ）、ステップＳ２３で、記録条件を変更してステップＳ２０の処理に戻される。
【００６１】
そして、上記ステップＳ１８またはＳ２２で読み取った信号が適正であると判断された場合（ＹＥＳ）、制御部２３は、先のステップＳ１２で、読み取った信号が適正であると判断されたときの記録条件に基づいて、情報記録層（この場合２７）の情報記録エリア２７ｄに、要求された記録速度で情報の記録を実行する。
【００６２】
その後、制御部２３は、ステップＳ１３で、試し記録に使用した試し記録エリア２７ａまたは２７ｇのアドレス情報と、設定された記録条件とを含む記録管理情報を、記録管理エリア２９ｂ、２７ｂまたは２７ｆに記録して、処理を終了（ステップＳ１４）する。
【００６３】
図５（ａ）は、上記光ディスク１２の他の例を示している。この光ディスク１２は、例えばポリカーボネート等で円盤状に形成された基板３１の一方面側に、金属材料でなる情報記録層３２と、透明材料でなる中間層３３と、半透明材料でなる情報記録層３４と、透明材料でなるカバー層３５とを順次積層させた構造となっている。
【００６４】
この場合、上記光ヘッド１４から出射されるレーザ光は、図示矢印のように、カバー層３５から入射して、２つの情報記録層３４，３２上に選択的に焦点が結ばれるように制御される。
【００６５】
また、この光ディスク１２は、レーザ光の入射方向に対して手前側（１層目）となる情報記録層３４に内周側から外周側に向けて情報の記録再生を行ない、その後、レーザ光の入射方向に対して奥側（２層目）となる情報記録層３２に外周側から内周側に向けて情報の記録再生を行なっていく、ＯＴＰ（Opposite Track Path）タイプである。
【００６６】
すなわち、１層目となる情報記録層３４には、その最内周位置から最外周位置に向けて、内周側試し記録エリア（ＰＣＡ）３４ａ、記録管理エリア（ＲＭＡ）３４ｂ、リードインエリア３４ｃ、情報記録エリア３４ｄ、ミドルエリア３４ｅ及び外周側試し記録エリア（ＰＣＡ）３４ｇが順次形成されている。
【００６７】
また、２層目となる情報記録層３２には、その最外周位置から最内周位置に向けて、外周側試し記録エリア（ＰＣＡ）３２ｇ、ミドルエリア３２ｅ、情報記録エリア３２ｄ、リードアウト３２ｃ及び内周側試し記録エリア（ＰＣＡ）３２ａが順次形成されている。
【００６８】
この場合、１層目となる情報記録層３４の内周側試し記録エリア３４ａ及び外周側試し記録エリア３４ｇに試し記録を行なった際の記録管理情報と、２層目となる情報記録層３２の内周側試し記録エリア３２ａ及び外周側試し記録エリア３２ｇに試し記録を行なった際の記録管理情報とは、情報記録層３４の記録管理エリア３４ｂに記録される。
【００６９】
図５（ｂ）は、図５（ａ）に示したＯＴＰタイプの光ディスク１２の変形例を示している。図５（ｂ）において、図５（ａ）と同一部分には同一符号を付して説明すると、２層目となる情報記録層３２に、その最外周位置から最内周位置に向けて、外周側試し記録エリア３２ｇ、ミドルエリア３２ｅ、情報記録エリア３２ｄ、リードアウトエリア３２ｃ、記録管理エリア（ＲＭＡ）３２ｂ及び内周側試し記録エリア３２ａを順次形成している。すなわち、各情報記録層３４，３２にそれぞれ記録管理エリア３４ｂ，３２ｂが形成される。
【００７０】
そして、１層目となる情報記録層３４の内周側試し記録エリア３４ａ及び外周側試し記録エリア３４ｇに試し記録を行なった際の記録管理情報は、その情報記録層３４の記録管理エリア３４ｂに記録され、２層目となる情報記録層３２の内周側試し記録エリア３２ａ及び外周側試し記録エリア３２ｇに試し記録を行なった際の記録管理情報は、その情報記録層３２の記録管理エリア３２ｂに記録される。
【００７１】
図５（ｃ）は、図５（ｂ）に示したＯＴＰタイプの光ディスク１２の変形例を示している。図５（ｃ）において、図５（ｂ）と同一部分には同一符号を付して説明すると、１層目となる情報記録層３４に、その最内周位置から最外周位置に向けて、内周側試し記録エリア３４ａ、記録管理エリア３４ｂ、リードインエリア３４ｃ、情報記録エリア３４ｄ、ミドルエリア３４ｅ、記録管理エリア（ＲＭＡ）３４ｆ及び外周側試し記録エリア３４ｇを順次形成している。
【００７２】
そして、内周側試し記録エリア３４ａに試し記録を行なった際の記録管理情報を、記録管理エリア３４ｂに記録し、外周側試し記録エリア３４ｇに試し記録を行なった際の記録管理情報を、記録管理エリア３４ｆに記録するようにしている。
【００７３】
また、２層目となる情報記録層３２に、その最外周位置から最内周位置に向けて、外周側試し記録エリア３２ｇ、記録管理エリア（ＲＭＡ）３２ｆ、ミドルエリア３２ｅ、情報記録エリア３２ｄ、リードアウトエリア３２ｃ、記録管理エリア３２ｂ及び内周側試し記録エリア３２ａを順次形成している。
【００７４】
そして、内周側試し記録エリア３２ａに試し記録を行なった際の記録管理情報を、記録管理エリア３２ｂに記録し、外周側試し記録エリア３２ｇに試し記録を行なった際の記録管理情報を、記録管理エリア３２ｆに記録するようにしている。
【００７５】
すなわち、各情報記録層３４，３２毎に、その内周側試し記録エリア３４ａ，３２ａに対してそれぞれ記録管理エリア３４ｂ，３２ｂを設けるとともに、外周側試し記録エリア３４ｇ，３２ｇに対してそれぞれ記録管理エリア３４ｆ，３２ｆを設けている。
【００７６】
ここで、上記した各情報記録層３４，３２のミドルエリア３４ｅ，３２ｅは、その位置を一体的に移動することも可能である。図６（ａ）は、図５（ａ）に示した光ディスク１２において、ミドルエリア３４ｅ，３２ｅの位置を、点線で示すように、内周側に移動させた状態を示している。
【００７７】
この場合、各ミドルエリア３４ｅ，３２ｅは、共に光ディスク１２の同じ半径位置に移動され、外周側試し記録エリア３４ｇ，３２ｇもミドルエリア３４ｅ，３２ｅとともに移動される。そして、各情報記録層３４，３２の外周側試し記録エリア３４ｇ，３２ｇより外側のエリアは、非使用エリアとなる。
【００７８】
このようにミドルエリア３４ｅ，３２ｅを移動可能とする理由は、光ディスク１２の内周側部分だけを情報の記録再生に使用することを考慮しているからである。すなわち、光ディスク１２は、その内周側の方が外周側に比べて反りが少ないことから、信頼性の高い安定な記録再生を行なうことが可能である。このため、必要に応じては、光ディスク１２の外周側を情報の記録再生に使用しない使用形態も考慮されるからである。
【００７９】
図６（ｂ）は、図５（ｂ）に示した光ディスク１２において、ミドルエリア３４ｅ，３２ｅの位置を、点線で示すように、内周側に移動させた状態を示している。この場合も、各ミドルエリア３４ｅ，３２ｅは、共に光ディスク１２の同じ半径位置に移動され、外周側試し記録エリア３４ｇ，３２ｇもミドルエリア３４ｅ，３２ｅとともに移動される。そして、各情報記録層３４，３２の外周側試し記録エリア３４ｇ，３２ｇより外側のエリアは、非使用エリアとなる。
【００８０】
図６（ｃ）は、図５（ｃ）に示した光ディスク１２において、ミドルエリア３４ｅ，３２ｅの位置を、点線で示すように、内周側に移動させた状態を示している。この場合、各ミドルエリア３４ｅ，３２ｅは、共に光ディスク１２の同じ半径位置に移動され、記録管理エリア３４ｆ，３２ｆ及び外周側試し記録エリア３４ｇ，３２ｇもミドルエリア３４ｅ，３２ｅとともに移動される。そして、各情報記録層３４，３２の外周側試し記録エリア３４ｇ，３２ｇより外側のエリアは、非使用エリアとなる。
【００８１】
図７及び図８は、記録する情報量に応じてミドルエリア３４ｅ，３２ｅの位置を移動させる動作をまとめたフローチャートを示している。すなわち、処理が開始（ステップＳ２４）され、ステップＳ２５で、情報としてユーザデータファイルの記録が要求されると、制御部２３は、ステップＳ２６で、ユーザデータファイルのファイルサイズ（情報量）が１層目となる情報記録層３４の情報記録エリア３４ｄの記録可能な記録容量よりも小さいか否かを判別し、小さいと判断された場合（ＹＥＳ）、ステップＳ２７で、ユーザデータファイルを情報記録エリア３４ｄに記録して、処理を終了（ステップＳ２８）する。
【００８２】
また、上記ステップＳ２６でユーザデータファイルのファイルサイズが１層目となる情報記録層３４の情報記録エリア３４ｄの記録可能な記録容量よりも大きいと判断された場合（ＮＯ）、制御部２３は、ステップＳ２９で、ユーザデータファイルを１層目となる情報記録層３４の情報記録エリア３４ｄの記録可能な最大記録容量まで記録するか否かを判別する。
【００８３】
そして、ユーザデータファイルを１層目となる情報記録層３４の情報記録エリア３４ｄの記録可能な最大記録容量まで記録すると判断された場合（ＹＥＳ）、制御部２３は、ステップＳ３０で、ユーザデータファイルを１層目となる情報記録層３４の情報記録エリア３４ｄの記録可能な最大記録容量まで記録する。
【００８４】
その後、制御部２３は、ステップＳ３１で、１層目となる情報記録層３４に、そこに形成可能な最外周位置にミドルエリア３４ｅ（記録管理エリア３４ｆ、外周側試し記録エリア３４ｇ）を形成する。
【００８５】
また、制御部２３は、ステップＳ３２で、２層目となる情報記録層３２に、そこに形成可能な最外周位置にミドルエリア３２ｅ（記録管理エリア３２ｆ、外周側試し記録エリア３２ｇ）を形成する。この場合、両ミドルエリア３４ｅ，３２ｅは、光ディスク１２の同じ半径位置に記録される。
【００８６】
そして、制御部２３は、ステップＳ３３で、２層目となる情報記録層３２の情報記録エリア３２ｄに、ミドルエリア３２ｅ側からリードアウトエリア３２ｃ側に向けて、残りのユーザデータファイルを記録し、処理を終了（ステップＳ２８）する。
【００８７】
また、上記ステップＳ２９で、ユーザデータファイルを１層目となる情報記録層３４の情報記録エリア３４ｄの記録可能な最大記録容量まで記録しないと判断された場合（ＮＯ）、制御部２３は、ステップＳ３４で、ユーザデータファイルを、１層目となる情報記録層３４の情報記録エリア３４ｄに記録する分と、２層目となる情報記録層３２の情報記録エリア３２ｄに記録する分とに分割する。
【００８８】
その後、制御部２３は、ステップＳ３５で、１層目となる情報記録層３４の情報記録エリア３４ｄに記録したとき最外周記録位置が、２層目となる情報記録層３２の情報記録エリア３２ｄに記録したときの最外周記録位置よりも、所定量だけ外側になるか否かを判別する。
【００８９】
そして、１層目となる情報記録層３４の情報記録エリア３４ｄの最外周記録位置の方が外側にならないと判断された場合（ＮＯ）、制御部２３は、ステップＳ３６で、ユーザデータの分割量を変更し、ステップＳ３４の処理に戻される。
【００９０】
また、上記ステップＳ３５で、１層目となる情報記録層３４の情報記録エリア３４ｄの最外周記録位置の方が外側になると判断された場合（ＹＥＳ）、制御部２３は、ステップＳ３６で、１層目に記録する分のユーザデータファイルを、情報記録層３４の情報記録エリア３４ｄに、その内周側から記録する。
【００９１】
そして、制御部２３は、ステップＳ３７で、１層目に記録する分のユーザデータファイルの記録が終了した時点で、その位置にミドルエリア３４ｅ（記録管理エリア３４ｆ、外周側試し記録エリア３４ｇ）を形成する。
【００９２】
また、制御部２３は、ステップＳ３８で、２層目となる情報記録層３２に、１層目に記録したミドルエリア３４ｅと同じ半径位置にミドルエリア３２ｅ（記録管理エリア３２ｆ、外周側試し記録エリア３２ｇ）を形成する。
【００９３】
その後、制御部２３は、ステップＳ３９で、２層目となる情報記録層３２の情報記録エリア３２ｄに、ミドルエリア３２ｅ側からリードアウトエリア３２ｃ側に向けて、残りのユーザデータファイルを記録し、処理を終了（ステップＳ２８）する。
【００９４】
ここで、ミドルエリア３４ｅ，３２ｅを移動させた場合、それに伴なって、記録管理エリア３４ｆ，３２ｆや外周側試し記録エリア３２ｇ，３２ｇ等も移動する。このため、ミドルエリア３４ｅ，３２ｅを、その最外周位置から内周側に移動させた場合、各情報記録層３４，３２の外周側試し記録エリア３４ｇ，３２ｇより外側のエリアは、非使用エリアとなって、試し記録用の信号を含むいかなる情報も記録が行なわれないようになる。
【００９５】
また、ミドルエリア３４ｅ，３２ｅを移動させる場合には、外周側試し記録エリア３４ｇ，３２ｇが、各情報記録層３４，３２に予め設定されている、データを書き込むための最外周限界位置ＬＡ（図６参照）よりも外周側に位置しないように制御される。
【００９６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００９７】
【図１】この発明の実施の形態を示すもので、光ディスク装置を説明するために示すブロック構成図。
【図２】同実施の形態における光ディスク装置で使用されるＰＴＰタイプの光ディスクを説明するために示す図。
【図３】同実施の形態における光ディスクに対する情報の記録動作の一部を説明するために示すフローチャート。
【図４】同実施の形態における光ディスクに対する情報の記録動作の残部を説明するために示すフローチャート。
【図５】同実施の形態における光ディスク装置で使用されるＯＴＰタイプの光ディスクを説明するために示す図。
【図６】同実施の形態におけるＯＴＰタイプの光ディスクのミドルエリアを移動させることを説明するために示す図。
【図７】同実施の形態におけるＯＴＰタイプの光ディスクに対する情報の記録動作の一部を説明するために示すフローチャート。
【図８】同実施の形態におけるＯＴＰタイプの光ディスクに対する情報の記録動作の残部を説明するために示すフローチャート。
【符号の説明】
【００９８】
１１…光ディスク装置、１２…光ディスク、１３…ディスクモータ、１４…光ヘッド、１５…信号処理部、１６…インターフェース部、１７…入出力端子、１８…記録パワー制御部、１９…ＬＤ駆動部、２０…サーボ処理部、２１…サーボ制御部、２２…アクチュエータドライバ、２３…制御部、２４…操作部、２５…メモリ部、２６…基板、２７…情報記録層、２８…中間層、２９…情報記録層、３０…カバー層、３１…基板、３２…情報記録層、３３…中間層、３４…情報記録層、３５…カバー層。
【図１】
2006040377.tif 000003
【図２】
2006040377.tif 000004
【図３】
2006040377.tif 000005
【図４】
2006040377.tif 000006
【図５】
2006040377.tif 000007
【図６】
2006040377.tif 000008
【図７】
2006040377.tif 000009
【図８】
2006040377.tif 000010